【手続補正書】
【提出日】平成24年7月5日(2012.7.5)
【手続補正１】
【補正対象書類名】明細書
【補正対象項目名】０００７
【補正方法】変更
【補正の内容】
【０００７】
本発明の目的を達成するために、例えば、本発明の画像処理装置は以下の構成を備える。即ち、フレームごとのハイダイナミックレンジの画像を、入力ＨＤＲ画像として取得する手段と、
前記入力ＨＤＲ画像から入力低周波画像を生成する手段と、
前記入力ＨＤＲ画像と、前記入力低周波画像と、を用いて、前記入力ＨＤＲ画像のダイナミックレンジを圧縮した入力ＳＤＲ画像を生成する手段と、
前記入力ＳＤＲ画像を符号化することで、再構築ＳＤＲ画像、動きベクトル情報、ＳＤＲストリーム、を生成する手段と、
供給された再構築低周波画像と、前記再構築ＳＤＲ画像と、を用いて、再伸張ＨＤＲ画像を生成する生成手段と、
前記入力ＨＤＲ画像と、前記再伸張ＨＤＲ画像と、の差分画像を、ＨＤＲ差分画像として生成する手段と、
前記ＨＤＲ差分画像を符号化することで、ＨＤＲ差分情報ストリームと、再構築ＨＤＲ差分画像と、を生成する手段と、
前記再構築ＨＤＲ差分画像と、前記再伸張ＨＤＲ画像と、の合成画像を、再構築ＨＤＲ画像として生成する手段と、
前記動きベクトル情報と、１フレーム前の前記再構築ＨＤＲ画像と、を用いて動き補償を行うことで得られる画像を、動き補償ＨＤＲ画像として生成する手段と、
前記動き補償ＨＤＲ画像から再構築低周波画像を生成して前記生成手段に供給する手段と、
前記ＳＤＲストリームと、前記ＨＤＲ差分情報ストリームと、を複合して送出する送出手段と
を備えることを特徴とする。
【手続補正２】
【補正対象書類名】特許請求の範囲
【補正対象項目名】全文
【補正方法】変更
【補正の内容】
【特許請求の範囲】
【請求項１】
フレームごとのハイダイナミックレンジの画像を、入力ＨＤＲ画像として取得する手段と、
前記入力ＨＤＲ画像から入力低周波画像を生成する手段と、
前記入力ＨＤＲ画像と、前記入力低周波画像と、を用いて、前記入力ＨＤＲ画像のダイナミックレンジを圧縮した入力ＳＤＲ画像を生成する手段と、
前記入力ＳＤＲ画像を符号化することで、再構築ＳＤＲ画像、動きベクトル情報、ＳＤＲストリーム、を生成する手段と、
供給された再構築低周波画像と、前記再構築ＳＤＲ画像と、を用いて、再伸張ＨＤＲ画像を生成する生成手段と、
前記入力ＨＤＲ画像と、前記再伸張ＨＤＲ画像と、の差分画像を、ＨＤＲ差分画像として生成する手段と、
前記ＨＤＲ差分画像を符号化することで、ＨＤＲ差分情報ストリームと、再構築ＨＤＲ差分画像と、を生成する手段と、
前記再構築ＨＤＲ差分画像と、前記再伸張ＨＤＲ画像と、の合成画像を、再構築ＨＤＲ画像として生成する手段と、
前記動きベクトル情報と、１フレーム前の前記再構築ＨＤＲ画像と、を用いて動き補償を行うことで得られる画像を、動き補償ＨＤＲ画像として生成する手段と、
前記動き補償ＨＤＲ画像から再構築低周波画像を生成して前記生成手段に供給する手段と、
前記ＳＤＲストリームと、前記ＨＤＲ差分情報ストリームと、を複合して送出する送出手段と
を備えることを特徴とする画像処理装置。
【請求項２】
前記入力低周波画像は、前記入力ＨＤＲ画像に対してガウシアンカーネルによる畳み込み積分を行うことで生成され、
前記再構築低周波画像は、前記動き補償ＨＤＲ画像に対してガウシアンカーネルによる畳み込み積分を行うことで生成されることを特徴とする請求項１に記載の画像処理装置。
【請求項３】
前記入力ＳＤＲ画像Ｓｉｎ（ｘ、ｙ）は（ｘ、ｙは画素位置）、前記入力ＨＤＲ画像Ｈｉｎ（ｘ、ｙ）と、前記入力低周波画像Ｌｉｎ（ｘ、ｙ）と、を用いて次の式
2011019126.tif 000001
に従った計算処理を行うことで生成されることを特徴とする請求項１又は２に記載の画像処理装置。
【請求項４】
前記入力ＳＤＲ画像の符号化は、Ｈ．２６４符号化形式に従った符号化であることを特徴とする請求項１乃至３の何れか１項に記載の画像処理装置。
【請求項５】
前記再伸張ＨＤＲ画像Ｈｅｘ（ｘ、ｙ）は（ｘ、ｙは画素位置）、供給された再構築低周波画像Ｌｒｅｃ（ｘ、ｙ）と、前記再構築ＳＤＲ画像Ｓｒｅｃ（ｘ、ｙ）と、を用いて次の式
2011019126.tif 000002
に従った計算処理を行うことで生成されることを特徴とする請求項１乃至４の何れか１項に記載の画像処理装置。
【請求項６】
前記ＨＤＲ差分画像ｅ（ｘ、ｙ）は（ｘ、ｙは画素位置）、前記入力ＨＤＲ画像Ｈｉｎ（ｘ、ｙ）と、前記再伸張ＨＤＲ画像Ｈｅｘ（ｘ、ｙ）と、を用いて、次の式
2011019126.tif 000003
に従った計算処理を行うことで生成されることを特徴とする請求項１乃至５の何れか１項に記載の画像処理装置。
【請求項７】
前記ＨＤＲ差分画像の符号化は、ＪＰＥＧ２０００形式に従った符号化であることを特徴とする請求項１乃至６の何れか１項に記載の画像処理装置。
【請求項８】
前記再構築ＨＤＲ画像Ｈｒｅｃ（ｘ、ｙ）は（ｘ、ｙは画素位置）、前記再構築ＨＤＲ差分画像ｅ’（ｘ、ｙ）と、前記再伸張ＨＤＲ画像Ｈｅｘ（ｘ、ｙ）と、を用いて、次の式
2011019126.tif 000004
に従った計算処理を行うことで生成されることを特徴とする請求項１乃至７の何れか１項に記載の画像処理装置。
【請求項９】
前記動き補償ＨＤＲ画像の生成では、動きベクトルの参照画像のフレーム番号と再構築ＨＤＲ画像のフレーム番号は同一であることを特徴とする請求項１乃至８の何れか１項に記載の画像処理装置。
【請求項１０】
請求項１乃至９の何れか１項に記載の画像処理装置によって符号化された画像を復号する画像処理装置であって、
前記送出手段により送出されたＳＤＲストリームを復号し、前記再構築ＳＤＲ画像、前記動きベクトル情報を生成する第１の生成手段と、
供給された再構築低周波画像と、前記第１の生成手段が生成した再構築ＳＤＲ画像と、を用いて、ダイナミックレンジを拡大した再伸張ＨＤＲ画像を生成する第２の生成手段と、
前記送出手段により送出されたＨＤＲ差分情報ストリームを復号し、再構築ＨＤＲ差分画像を生成する第３の生成手段と、
前記第３の生成手段が生成した再構築ＨＤＲ差分画像と、前記第２の生成手段が生成した再伸張ＨＤＲ画像と、の合成画像を、再構築ＨＤＲ画像として生成する第４の生成手段と、
前記第１の生成手段が生成した動きベクトル情報と、１フレーム前の再構築ＨＤＲ画像と、を用いて動き補償を行うことで得られる画像を、動き補償ＨＤＲ画像として生成する手段と、
前記動き補償ＨＤＲ画像から再構築低周波画像を生成して前記第２の生成手段に供給する手段と
を備えることを特徴とする画像処理装置。
【請求項１１】
画像処理装置が行う画像処理方法であって、
前記画像処理装置の取得手段が、フレームごとのハイダイナミックレンジの画像を、入力ＨＤＲ画像として取得する工程と、
前記画像処理装置の第１の生成手段が、前記入力ＨＤＲ画像から入力低周波画像を生成する工程と、
前記画像処理装置の第２の生成手段が、前記入力ＨＤＲ画像と、前記入力低周波画像と、を用いて、前記入力ＨＤＲ画像のダイナミックレンジを圧縮した入力ＳＤＲ画像を生成する工程と、
前記画像処理装置の第３の生成手段が、前記入力ＳＤＲ画像を符号化することで、再構築ＳＤＲ画像、動きベクトル情報、ＳＤＲストリーム、を生成する工程と、
前記画像処理装置の第４の生成手段が、供給された再構築低周波画像と、前記再構築ＳＤＲ画像と、を用いて、再伸張ＨＤＲ画像を生成する生成工程と、
前記画像処理装置の第５の生成手段が、前記入力ＨＤＲ画像と、前記再伸張ＨＤＲ画像と、の差分画像を、ＨＤＲ差分画像として生成する工程と、
前記画像処理装置の第６の生成手段が、前記ＨＤＲ差分画像を符号化することで、ＨＤＲ差分情報ストリームと、再構築ＨＤＲ差分画像と、を生成する工程と、
前記画像処理装置の第７の生成手段が、前記再構築ＨＤＲ差分画像と、前記再伸張ＨＤＲ画像と、の合成画像を、再構築ＨＤＲ画像として生成する工程と、
前記画像処理装置の第８の生成手段が、前記動きベクトル情報と、１フレーム前の前記再構築ＨＤＲ画像と、を用いて動き補償を行うことで得られる画像を、動き補償ＨＤＲ画像として生成する工程と、
前記画像処理装置の供給手段が、前記動き補償ＨＤＲ画像から再構築低周波画像を生成して前記生成工程に供給する工程と、
前記画像処理装置の送出手段が、前記ＳＤＲストリームと、前記ＨＤＲ差分情報ストリームと、を複合して送出する送出工程と
を備えることを特徴とする画像処理方法。
【請求項１２】
請求項１乃至９の何れか１項に記載の画像処理装置によって符号化された画像を復号する画像処理装置が行う画像処理方法であって、
前記画像処理装置の第１の生成手段が、前記送出工程で送出されたＳＤＲストリームを復号し、前記再構築ＳＤＲ画像、前記動きベクトル情報を生成する第１の生成工程と、
前記画像処理装置の第２の生成手段が、供給された再構築低周波画像と、前記第１の生成工程で生成した再構築ＳＤＲ画像と、を用いて、ダイナミックレンジを拡大した再伸張ＨＤＲ画像を生成する第２の生成工程と、
前記画像処理装置の第３の生成手段が、前記送出工程で送出されたＨＤＲ差分情報ストリームを復号し、再構築ＨＤＲ差分画像を生成する第３の生成工程と、
前記画像処理装置の第４の生成手段が、前記第３の生成工程で生成した再構築ＨＤＲ差分画像と、前記第２の生成工程で生成した再伸張ＨＤＲ画像と、の合成画像を、再構築ＨＤＲ画像として生成する第４の生成工程と、
前記画像処理装置の第５の生成手段が、前記第１の生成工程で生成した動きベクトル情報と、１フレーム前の再構築ＨＤＲ画像と、を用いて動き補償を行うことで得られる画像を、動き補償ＨＤＲ画像として生成する工程と、
前記画像処理装置の供給手段が、前記動き補償ＨＤＲ画像から再構築低周波画像を生成して前記第２の生成工程に供給する工程と
を備えることを特徴とする画像処理方法。
【請求項１３】
コンピュータを、請求項１乃至１０の何れか１項に記載の画像処理装置の各手段として機能させるためのコンピュータプログラム。
【請求項１４】
請求項１３に記載のコンピュータプログラムを格納した、コンピュータが読み取り可能な記憶媒体。